(57)【要約】【課題】特別な装置を必要とせず、制御装置が正規品であるか否かを容易に確認することができる遊技機を提供する。【解決手段】遊技制御基板３７に制御用電子部品を実装して構成された遊技制御装置を備えたパチンコ遊技機において、遊技制御基板３７は、絶縁材料からなる複数の絶縁層５０と、該絶縁層５０上に配置され電気回路配線を構成する複数の導電層５２とを積層して構成された多層基板であり、当該遊技制御基板３７の一部には、板厚方向に透視可能な透視領域５９を設け、該透視領域５９から外れた位置に前記制御用電子部品を実装し、遊技制御基板３７の内部の前記層５０，５２のうち透視領域５９内に位置する箇所に、遊技制御装置が正規品であることを識別するための識別標識５７を設けた。【選択図】図４
2008188084.tif 000002
【特許請求の範囲】
【請求項１】
制御基板に制御用電子部品を実装して構成された制御装置を備えた遊技機において、
前記制御基板は、絶縁材料からなる複数の絶縁層と、該絶縁層上に配置され電気回路配線を構成する複数の導電層とを積層して構成された多層基板であり、当該制御基板の一部には、板厚方向に透視可能な透視領域を設け、該透視領域から外れた位置に前記制御用電子部品を実装し、
前記制御基板の内部の前記層のうち透視領域内に位置する箇所に、制御装置が正規品であることを識別するための識別標識を設けたことを特徴とする遊技機。
【請求項２】
前記絶縁層を透光性材料で構成し、導電層のうち透視領域に重合する箇所には透視窓部を開設したことを特徴とする請求項１に記載の遊技機。
【請求項３】
前記識別標識は、制御基板の内部に位置する導電層のうち透視領域から外れた位置に形成された電気回路配線に接続した状態で設けられたことを特徴とする請求項１または請求項２に記載の遊技機。
【請求項４】
前記導電層のうち識別標識に重合する箇所に複数の電気回路配線を配置し、隣り合う電気回路配線の間から識別標識を視認可能としたことを特徴とする請求項１から請求項３のいずれかに記載の遊技機。
【発明の詳細な説明】
【技術分野】
【０００１】
本発明は、制御基板に制御用電子部品を実装して構成された制御装置を備えたパチンコ遊技機等の遊技機に関する。
【背景技術】
【０００２】
従来の遊技機、例えばパチンコ遊技機においては、当該パチンコ遊技機を制御するための制御装置、具体的には遊技の進行を制御する遊技制御装置等の制御装置を備えている。なお、制御装置は、制御基板にＣＰＵ等の制御用電子部品を実装して構成されている。
【０００３】
ところで、近年では、制御装置、詳しくは遊技制御装置を不正に交換して、遊技における大当たり状態を発生させようとする不正行為が行われてしまうことがある。そこで、遊技制御装置の制御基板に個体識別情報（ＩＤコード）を記憶した識別情報記憶部（所謂ＩＣタグ）を内蔵し、外部読取装置（ＩＤ識別装置）により識別情報記憶部内の個体識別情報を読み取って、遊技制御装置の不正交換がなされたか否かを確認できるようにすることが提案されている（例えば、特許文献１参照）。
【特許文献１】特開平１１−０９９２７０号公報
【発明の開示】
【発明が解決しようとする課題】
【０００４】
ところが、上記特許文献に記載のものでは、パチンコ遊技機とは別個に外部読取装置を準備しなければ、パチンコ遊技機に取り付けられている遊技制御装置（制御装置）が正規品であるか否か、言い換えると、制御装置が不正に交換されたか否かを確認することができず、確認作業に手間が掛かってしまう。また、外部読取装置の費用が掛かってしまう。
【０００５】
そこで、本発明は、上記の事情に鑑みてなされたものであり、その目的は、特別な装置を必要とせず、制御装置が正規品であるか否かを容易に確認することができる遊技機を提供しようとするものである。
【課題を解決するための手段】
【０００６】
本発明は、上記目的を達成するために提案されたものであり、請求項１に記載のものは、制御基板に制御用電子部品を実装して構成された制御装置を備えた遊技機において、
前記制御基板は、絶縁材料からなる複数の絶縁層と、該絶縁層上に配置され電気回路配線を構成する複数の導電層とを積層して構成された多層基板であり、当該制御基板の一部には、板厚方向に透視可能な透視領域を設け、該透視領域から外れた位置に前記制御用電子部品を実装し、
前記制御基板の内部の前記層のうち透視領域内に位置する箇所に、制御装置が正規品であることを識別するための識別標識を設けたことを特徴とする遊技機である。
【０００７】
請求項２に記載のものは、前記絶縁層を透光性材料で構成し、導電層のうち透視領域に重合する箇所には透視窓部を開設したことを特徴とする請求項１に記載の遊技機である。
【０００８】
請求項３に記載のものは、前記識別標識は、制御基板の内部に位置する導電層のうち透視領域から外れた位置に形成された電気回路配線に接続した状態で設けられたことを特徴とする請求項１または請求項２に記載の遊技機である。
【０００９】
請求項４に記載のものは、前記導電層のうち識別標識に重合する箇所に複数の電気回路配線を配置し、隣り合う電気回路配線の間から識別標識を視認可能としたことを特徴とする請求項１から請求項３のいずれかに記載の遊技機である。
【発明の効果】
【００１０】
本発明によれば、以下のような優れた効果を奏する。
請求項１に記載の発明によれば、制御基板に制御用電子部品を実装して構成された制御装置を備えた遊技機において、制御基板は、絶縁材料からなる複数の絶縁層と、該絶縁層上に配置され電気回路配線を構成する複数の導電層とを積層して構成された多層基板であり、当該制御基板の一部には、板厚方向に透視可能な透視領域を設け、該透視領域から外れた位置に前記制御用電子部品を実装し、制御基板の内部の前記層のうち透視領域内に位置する箇所に、制御装置が正規品であることを識別するための識別標識を設けたので、制御装置の外方から目視するだけで制御装置が正規品であるか否かを容易に確認することができ、確認のための装置を別個に準備する必要がない。また、識別標識を露出せずに視認可能とすることができ、識別標識が損傷したり劣化したりする不具合を抑えることができる。したがって、正規品であるか否かが確認し難くなる虞を抑制することができる。
【００１１】
請求項２に記載の発明によれば、絶縁層を透光性材料で構成し、導電層のうち透視領域に重合する箇所には透視窓部を開設したので、識別標識を視認可能とするための構成を簡単に実現することができる。
【００１２】
請求項３に記載の発明によれば、識別標識は、制御基板の内部に位置する導電層のうち透視領域から外れた位置に形成された電気回路配線に接続した状態で設けられたので、識別標識を電気回路配線の途中に隠すことができ、識別標識に対して不正を行おうとする者がひと目見ただけではどの部分が識別標識であるかを判別し難いように構成することができる。したがって、識別標識に対する不正行為の抑制、ひいては制御装置に対する不正行為の抑制を図ることができる。
【００１３】
請求項４に記載の発明によれば、導電層のうち識別標識に重合する箇所に複数の電気回路配線を配置し、隣り合う電気回路配線の間から識別標識を視認可能としたので、識別標識を電気回路配線で見え難くすることができ、識別標識に対して不正を行おうとする者がひと目見ただけでは識別標識を判別し難いように構成することができる。したがって、識別標識に対する不正行為の抑制、ひいては制御装置に対する不正行為の抑制を図ることができる。
【発明を実施するための最良の形態】
【００１４】
以下、代表的な遊技機であるパチンコ遊技機を例に挙げて本発明の実施の最良の形態を図面に基づき説明する。図１はパチンコ遊技機の正面図、図２は背面図である。なお、以下の説明においては、便宜上、特記しない限りパチンコ遊技機の遊技者側を「前」として前後方向を示し、遊技者側から見て左右方向を示す。
【００１５】
パチンコ遊技機１は、図１および図２に示すように、外枠（機枠あるいは本体枠）２に前面枠（内枠）３を開閉可能に軸着し、この前面枠３のベースとなる前面枠本体４に遊技盤５を収納可能とし、前面枠３の前面側には、一側（図１中、左側）が軸着された透明部材保持枠９を開閉可能に設け、該透明部材保持枠９に透視可能な透明部材１０を収納している。そして、透明部材保持枠９を閉じると、遊技盤５が透明部材保持枠９により覆われ、遊技盤５の前面に区画形成された遊技領域（図示せず）が透明部材１０を通して前方から視認できるように構成されている。さらに、透明部材保持枠９の下方には、一側（図１中、左側）が軸着された上皿ユニット１１を開閉可能に設け、該上皿ユニット１１の下方には、下皿ユニット１２を上皿ユニット１１とは左右方向にずれた位置に配置している。また、下皿ユニット１２の左側に灰皿１４を備え、下皿ユニット１２の右側に発射操作ユニット（発射操作ハンドル）１５を備えている。そして、上皿ユニット１１と下皿ユニット１２との間には、遊技状態に応じて音を発生するスピーカー１６を配置している。
【００１６】
また、前面枠本体４の裏面側には裏機構盤１８を形成し、該裏機構盤１８に略矩形状の開口窓部１９を開設し、前面枠本体４に遊技盤５を前方から交換可能な状態で取り付けるとともに、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部には排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００１７】
そして、遊技盤５の裏面のうち、裏機構盤１８の開口窓部１９から臨む部分に、略矩形状の大きなカバーを備えたベース部材２９と横長な制御装置装着部３０とを上下に並べた状態で配置し、上側のベース部材２９の内部に演出制御装置（図示せず）を装着し、下側の制御装置装着部３０の裏面側には遊技制御装置３２（本発明における制御装置に相当）を着脱可能な状態で装着している。
【００１８】
次に、遊技制御装置３２について説明する。
遊技制御装置３２は、縦向き姿勢で配置された比較的浅い或いは薄い箱状のユニットであり、図３に示すように、透光性を有して内部を透視可能な樹脂製（例えば無色透明な樹脂製）の基板ケース３６と、該基板ケース３６内に収容された矩形状の遊技制御基板３７（本発明における制御基板に相当）と、該遊技制御基板３７の裏面（言い換えると遊技制御基板３７を挟んで前面枠３とは反対側の面）に実装されたＣＰＵ等の制御用電子部品３８とを備えて構成されている。
【００１９】
基板ケース３６は、制御装置装着部３０に装着された状態で当該基板ケース３６の前側に配置される第１ケース部材４１と、当該基板ケース３６の後側に配置され、第１ケース部材４１に重合する第２ケース部材４２とを備えて構成されている。また、基板ケース３６の上下両縁部には、第１ケース部材４１と第２ケース部材４２とを重合した状態で係止する係止機構４４を備え、基板ケース３６の一側部（図３中、右側部）には、基板ケース３６を封止するケース封止機構４５を備えている。
【００２０】
遊技制御基板３７は、ガラスエポキシ樹脂等の絶縁材料からなる複数の絶縁層５０（第１絶縁層５０ａ、第２絶縁層５０ｂ、第３絶縁層５０ｃ）と、銅箔等の導電材料からなり、絶縁層５０上に配置されて電気回路配線を構成する複数の導電層５２（第１導電層５２ａ、第２導電層５２ｂ、第３導電層５２ｃ、第４導電層５２ｄ）とを積層して構成された多層基板である。具体的に説明すると、図４に示すように、第１絶縁層５０ａの前面（前面枠３側に向けられた面）に第１導電層５２ａを配置するとともに、後面（第１絶縁層５０ａを挟んで前面枠３とは反対の面）に第２導電層５２ｂを配置して第１積層板５４を形成し、第２絶縁層５０ｂの前面（前面枠３側に向けられた面）に第３導電層５２ｃを配置するとともに、後面（第２絶縁層５０ｂを挟んで前面枠３とは反対の面）に第４導電層５２ｄを配置して第２積層板５５を形成している。さらに、第３絶縁層５０ｃの前面（前面枠３側に向けられた面）に第１積層板５４を第２導電層５２ｂと第３絶縁層５０ｃの前面とが重合する状態で積層し、第３絶縁層５０ｃの後面（第３絶縁層５０ｃを挟んで前面枠３とは反対の面）に第２積層板５５を第３導電層５２ｃと第３絶縁層５０ｃの後面とが重合する状態で積層している。したがって、遊技制御基板３７は、４層の電気回路配線を備えた多層基板（４層基板）で構成されている。なお、図４においては、記号「Ｆ」により遊技制御基板３７の前方となる前面枠３側を示し、記号「Ｒ」により遊技制御基板３７の後方となる側、すなわち遊技制御基板３７を挟んで前面枠３とは反対側を示している。
【００２１】
そして、絶縁層５０を構成するガラスエポキシ樹脂は、絶縁材料であるとともに、透明な（詳しくは有色透明な）透光性材料でもある。すなわち、絶縁層５０は、透光性材料で構成されている。また、本実施形態では、第１積層板５４と第３絶縁層５０ｃとの間、および第２積層板５５と第３絶縁層５０ｃとの間に透明な接着層（図示せず）を介在し、該接着層を介して第１積層板５４、第２積層板５５および第３絶縁層５０ｃを重合している。
【００２２】
さらに、遊技制御基板３７には、遊技制御装置３２が正規品であることを識別するための識別標識５７を設けている。具体的に説明すると、遊技制御基板３７は、図３に示すように、当該遊技制御基板３７の一側寄り（図３中、右寄り）に矩形状の透視領域５９を設け、各導電層５２のうち透視領域５９に重合する箇所には透視窓部６０を開設し、透光性部材で形成された絶縁層５０および透視窓部６０を介して、透視領域５９が遊技制御基板３７の板厚方向に透視可能となる状態に設定している。そして、遊技制御基板３７の内部に位置する第３導電層５２ｃ（言い換えると絶縁層５０で前後に挟まれた第３導電層５２ｃ）のうち透視領域５９内に位置する箇所、すなわち第３導電層５２ｃに開設された第３導電透視窓部６０ａの内側に、銅箔等の導電性部材でＳ字状に形成された識別標識５７を配置している。また、透視領域５９から外れた位置に制御用電子部品３８を実装し、制御用電子部品３８が識別標識５７に重合することを避けて識別標識５７を視認し易いように構成している。
【００２３】
このようにして、遊技制御基板３７の内部に識別標識５７を設け、基板ケース３６および透視領域５９を介して識別標識５７を視認可能としたので、遊技制御装置３２の外方（前方あるいは後方）から目視するだけで遊技制御装置３２が正規品であるか否かを容易に確認することができ、確認のための装置（点検装置）を別個に準備する必要がない。さらに、点検装置を準備するために費用が掛かることもない。また、識別標識５７を露出せずに視認可能とすることができ、識別標識５７が損傷したり劣化したりする不具合を抑えることができる。したがって、正規品であるか否かが確認し難くなる虞を抑制することができる。さらに、絶縁層５０を透光性部材で形成するとともに導電層５２に透視窓部６０を開設して、透視領域５９を板厚方向へ透視可能としたので、識別標識５７を視認可能とするための構成を簡単な構成で実現することができる。
【００２４】
ところで、上記実施形態では、透視領域５９内に識別標識５７を配置して、一目して識別標識５７を確認、ひいては一目して遊技制御基板３７（遊技制御装置３２）が正規品であるか否かを確認できるように構成したが、本発明はこれに限定されない。例えば、図５に示す第２実施形態における遊技制御基板３７は、導電性材料で形成されたＳ字形状の識別標識５７の一端および他端（図５中、上端および下端）を第３導電透視窓部６０ａの縁部まで延設している。そして、各延設端を第３導電層５２ｃのうち透視領域５９（第３導電透視窓部６０ａ）から外れた位置に形成された電気回路配線（第３導電回路配線）６４に接続して、識別標識５７を第３導電回路配線６４の一部として機能させている。このような構成の識別標識５７を遊技制御基板３７に設ければ、識別標識５７を第３導電回路配線６４の途中に隠すことができ、識別標識５７に対して不正を行おうとする者がひと目見ただけではどの部分が識別標識５７であるかを判別し難いように構成することができる。したがって、識別標識５７に対する不正行為の抑制、ひいては遊技制御装置３２に対する不正行為の抑制を図ることができる。
【００２５】
ところで、上記実施形態では、透視領域５９内に識別標識５７と透光性を有する絶縁層５０とを配置したが、本発明はこれに限定されない。例えば、図６および図７に示す第３実施形態における遊技制御基板３７は、基本的には第１実施形態のものと同じであるが、電気回路配線が識別標識５７に重合している点で異なる。具体的に説明すると、第３実施形態の遊技制御基板３７は、識別標識５７を挟んで前面枠３とは反対側に位置する導電層５２（第４導電層５２ｄ）のうち、識別標識５７に重合する箇所となる透視窓部６０内に複数の横長な電気回路配線（第４導電回路配線）６７を配置している。さらに、各第４導電回路配線６７を識別標識５７よりも細く設定するとともに、互いに平行となる離間状態に設定し、隣り合う第４導電回路配線６７の隙間および第２絶縁層５０ｂを介して識別標識５７を後方へ臨ませて視認できるように構成されている。このように遊技制御基板３７を構成すれば、識別標識５７を第４導電回路配線６７で見え難くすることができ、識別標識５７に対して不正を行おうとする者がひと目見ただけでは識別標識５７を判別し難いように構成することができる。したがって、識別標識５７に対する不正行為の抑制、ひいては遊技制御装置３２に対する不正行為の抑制を図ることができる。なお、識別標識５７に重合する電気回路配線（第４導電回路配線）を互いに交差したメッシュ状に設定して、電気回路配線により囲まれた網目部分から識別標識５７を視認できるように構成してもよい。
【００２６】
ところで、上記各実施形態では、第３導電層５２ｃに識別標識５７を設けたが、本発明はこれに限定されない。遊技制御基板３７の内部の層（絶縁層５０、導電層５２）のうち透視領域５９内に位置する箇所であれば、第３導電層５２ｃ以外の導電層５２や絶縁層５０に設けてもよい。また、透視領域５９は、遊技制御基板３７の一部であり、且つ制御用電子部品３８の実装箇所から外れた箇所であれば、どの位置に設定してもよい。そして、識別標識５７はアルファベット等の文字の形状を模したものに限定されない。要は、正規の遊技制御装置３２を製造した正規のメーカーが予め定めたものであれば、どのようなデザインを適用してもよい。さらに、導電層５２は、導電性を有する材料で形成されていれば、どのようなものであってもよい。また、絶縁層５０は、絶縁性および透光性を有する材料で形成されていれば、どのようなものであってもよい。
【００２７】
さらに、上記各実施形態では、遊技制御装置３２を構成する遊技制御基板３７に識別標識５７を設けたが、本発明はこれに限定されず、パチンコ遊技機等の遊技機に備えられた制御装置の制御基板であれば、どのような基板に識別標識５７を設けてもよい。例えば、遊技演出の制御を行う演出制御装置の制御基板（演出制御基板）であってもよい。また、本発明における制御基板は、導電層５２と絶縁層５０と積層して構成された多層基板であればよく、各層をどのような順序で重合してもよい。
【００２８】
そして、上記実施形態では、代表的な遊技機であるパチンコ遊技機を例にして説明したが、本発明はこれに限らず、制御基板に制御用電子部品を実装して構成された制御装置を備えた遊技機であればどのような遊技機でもよい。例えば、内部に封入した遊技球を循環させる封入球式パチンコ機、アレンジボール式遊技機、雀球式遊技機等の遊技機であってもよい。
【００２９】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３０】
【図１】パチンコ遊技機の正面図である。
【図２】パチンコ遊技機の背面図である。
【図３】遊技制御装置の後方から見た分解斜視図である。
【図４】遊技制御基板の後方から見た分解斜視図である。
【図５】第２実施形態の遊技制御基板の説明図であり、（ａ）は制御用電子部品を実装した遊技制御基板の後方から見た斜視図、（ｂ）は遊技制御基板の後方から見た分解斜視図である。
【図６】第３実施形態の遊技制御基板の説明図であり、（ａ）は制御用電子部品を実装した遊技制御基板の後方から見た斜視図、（ｂ）は遊技制御基板の後方から見た分解斜視図である。
【図７】第３実施形態における識別標識および第４導電回路配線を示す拡大図である。
【符号の説明】
【００３１】
１  パチンコ遊技機
３  前面枠
５  遊技盤
３０  制御装置装着部
３２  遊技制御装置
３６  基板ケース
３７  遊技制御基板
３８  制御用電子部品
４１  第１ケース部材
４２  第２ケース部材
４４  係止機構
４５  ケース封止機構
５０  絶縁層
５０ａ  第１絶縁層
５０ｂ  第２絶縁層
５０ｃ  第３絶縁層
５２  導電層
５２ａ  第１導電層
５２ｂ  第２導電層
５２ｃ  第３導電層
５２ｄ  第４導電層
５４  第１積層板
５５  第２積層板
５７  識別標識
５９  透視領域
６０  透視窓部
６０ａ  第３導電透視窓部
６４  第３導電回路配線
６７  第４導電回路配線
【図１】
2008188084.tif 000003
【図２】
2008188084.tif 000004
【図３】
2008188084.tif 000005
【図４】
2008188084.tif 000006
【図５】
2008188084.tif 000007
【図６】
2008188084.tif 000008
【図７】
2008188084.tif 000009